(57)【要約】【課題】部品点数が少なく管理が簡素化する建材ボード取付具を提供する。【解決手段】頭部１１と軸ねじ部１３を有するビス部材１０と、建材ボード３０の表面において上記ビス部材１０の上記軸ねじ部１３が挿通されて上記頭部１１が止まるワッシャ部材２０とを備え、上記ワッシャ部材２０は、その表面側に上記ビス部材１０の頭部１１が嵌入しうる凹部２１が形成され、上記凹部２１の中央に、上記ビス部材１０の上記軸ねじ部１３を挿通させる挿通孔２３が形成され、さらに上記ワッシャ部材２０自体が樹脂材料から構成されている。上記挿通孔２３の内径よりも外径の大きな軸ねじ部１３を有するビス部材１０の上記軸ねじ部１３を挿通させるとき、上記挿通孔２３を上記軸ねじ部１３が押し広げながら挿通させ、上記ビス部材１０の頭部１１が上記凹部２１に嵌入した状態で上記建材ボード３０を固定する。【選択図】図２
0003232548.tif 000002
【実用新案登録請求の範囲】
【請求項１】
頭部と軸ねじ部を有して上記軸ねじ部が建材ボードに挿入固定されるビス部材と、上記建材ボードの表面において上記ビス部材の上記軸ねじ部が挿通されて上記頭部が止まるワッシャ部材とを備え、
上記ワッシャ部材は、その表面側に上記ビス部材の頭部が嵌入しうる凹部が形成され、上記凹部の中央に、上記ビス部材の上記軸ねじ部を挿通させる挿通孔が形成され、さらに上記ワッシャ部材自体が樹脂材料から構成されることにより、上記挿通孔の内径よりも外径の大きな軸ねじ部を有するビス部材の上記軸ねじ部を挿通させるときに、上記挿通孔を上記軸ねじ部が押し広げながら挿通させて、上記ビス部材の頭部が上記凹部に嵌入した状態で上記建材ボードを固定するように構成されている
ことを特徴とする建材ボード取付具。
【請求項２】
上記ビス部材として、太さの異なる複数種類のビス部材のうちいずれかが使用され、
上記挿通孔の内径が、上記複数種類のビス部材のうち最も細いビス部材の外径よりも小さくなるように設定されている
請求項１記載の建材ボード取付具。
【請求項３】
上記ビス部材の頭部が、上記凹部に嵌入した状態で、上記ワッシャ部材の表面に対して上記頭部が面一になるよう構成されている
請求項１または２記載の建材ボード取付具。
【請求項４】
上記ビス部材の上記軸ねじ部の先端部にリーマが形成され、上記ワッシャ部材の上記挿通孔には、上記リーマを挿通できる切欠きが形成されている
請求項１〜３のいずれか一項に記載の建材ボード取付具。
【考案の詳細な説明】
【技術分野】
【０００１】
本考案は、建築物の内装仕上げ材としての建材ボードを取り付けるための建材ボード取付具に関するものである。
【背景技術】
【０００２】
建築物の内装仕上げには、石膏ボードや珪酸カルシウム板等の建材ボードが用いられる。上記建材ボードは、軽量鉄骨や木製の胴縁を下地としてその下地に対して固定される。このとき、頭部と軸部を有するビスが用いられる。内装仕上げは、上記建材ボードを下地上で所定の位置に位置決めした状態で、上記ビスを、上記建材ボードの上から上記下地までねじ込むことが行われる。
【０００３】
このような技術に関し、本出願人は先行技術文献として下記の特許文献１を把握している。
【先行技術文献】
【特許文献】
【０００４】
【特許文献１】特許第６４５０３５１号公報
【０００５】
上記特許文献１には、つぎの記載がある。
［００１５］
図１、図２の本発明を適用した止め具Ｇの第一形態例において、１は止めビスであって、頭部１ａ及びネジ軸部１ｂを有し、この場合、頭部１ａは皿状に形成され、複数枚のボード建材Ｂ・Ｂ・・を下地材Ｔに螺着固定するネジ構造となっている。なお、丸、トラス、なべ、平など各種の頭部のネジが用いられる。
［００１６］
２は座金であって、上記止めビス１のネジ軸部１ｂの首下部分に取り付けられ、この場合、例えば、ネジ形成加工等により、上記止めビス１のネジ軸部１ｂの首下部分の直径は座金２の貫通穴２ｃの内径より若干径小であってネジ軸部１ｂの外径より径小に形成されて、ネジ軸部１ｂの首下部分に取り付けられ、座金２の裏面２ａは凸面、この場合、球状の凸面に形成され、止めビス１は複数枚、例えば、二枚や三枚、或いは四枚等のボード建材Ｂ・Ｂ・・の突合端部間の合わせ目Ｍに螺着配置され、座金２の裏面２ａは少なくとも上記複数枚のボード建材Ｂ・Ｂ・・の各々の突合端部の各々の表面に同時接触可能な大きさに形成されている。
【考案の概要】
【考案が解決しようとする課題】
【０００６】
上記特許文献１に記載された技術では、座金２が金属から形成されている。このため、座金２の貫通穴２ｃの内径は、使用するビス１のネジ軸部１ｂの外径に応じて決めなければならない。上記止めビス１のネジ軸部１ｂの首下部分の直径が、座金２の貫通穴２ｃの内径より若干径小で、ネジ軸部１ｂの外径より径小に形成されているとしても、ネジ軸部１ｂの外径サイズが異なる止めビス１を使用するときは、それに対応する座金２は、それに合わせた貫通穴２ｃの内径としたものを準備する。施工対象のボード建材や用途に応じて使用するネジ軸部１ｂは、その外径サイズが異なる場合、それに対応する座金２を準備して使用する。したがって、その外径サイズが異なる複数のネジ軸部１ｂにそれぞれ対応し、それに合わせた内径の貫通穴２ｃが形成された座金２が必要である。このため、従来は止めビス１の種類に応じた種類の座金２が必要で、部品点数が多くその管理が煩雑であった。
【０００７】
また、上記特許文献１に記載された技術では、上記座金２の表面が凹面となるため、取り付けた状態の建材ボードの表面では、上記凹面が窪みとなって現れる。このため、上記窪みがその後の施工に悪影響してしまう。
【０００８】
本考案は、上記事情に鑑み、下記の目的をもってなされたものである。
部品点数が少なく管理が簡素化する建材ボード取付具を提供する。
【課題を解決するための手段】
【０００９】
請求項１記載の建材ボード取付具は、上記目的を達成するため、つぎの構成を採用した。
頭部と軸ねじ部を有して上記軸ねじ部が建材ボードに挿入固定されるビス部材と、上記建材ボードの表面において上記ビス部材の上記軸ねじ部が挿通されて上記頭部が止まるワッシャ部材とを備え、
上記ワッシャ部材は、その表面側に上記ビス部材の頭部が嵌入しうる凹部が形成され、上記凹部の中央に、上記ビス部材の上記軸ねじ部を挿通させる挿通孔が形成され、さらに上記ワッシャ部材自体が樹脂材料から構成されることにより、上記挿通孔の内径よりも外径の大きな軸ねじ部を有するビス部材の上記軸ねじ部を挿通させるときに、上記挿通孔を上記軸ねじ部が押し広げながら挿通させて、上記ビス部材の頭部が上記凹部に嵌入した状態で上記建材ボードを固定するように構成されている。
【００１０】
請求項２記載の建材ボード取付具は、請求項１記載の構成に加え、つぎの構成を採用した。
上記ビス部材として、太さの異なる複数種類のビス部材のうちいずれかが使用され、
上記挿通孔の内径が、上記複数種類のビス部材のうち最も細いビス部材の外径よりも小さくなるように設定されている。
【００１１】
請求項３記載の建材ボード取付具は、請求項１または２記載の構成に加え、つぎの構成を採用した。
上記ビス部材の頭部が、上記凹部に嵌入した状態で、上記ワッシャ部材の表面に対して上記頭部が面一になるよう構成されている。
【００１２】
請求項４記載の建材ボード取付具は、請求項１〜３のいずれか一項に記載の構成に加え、つぎの構成を採用した。
上記ビス部材の上記軸ねじ部の先端部にリーマが形成され、上記ワッシャ部材の上記挿通孔には、上記リーマを挿通できる切欠きが形成されている。
【考案の効果】
【００１３】
請求項１記載の建材ボード取付具は、ビス部材とワッシャ部材とを備えている。上記ビス部材は、頭部と軸ねじ部を有し、上記軸ねじ部が建材ボードに挿入固定される。上記ワッシャ部材は、上記建材ボードの表面において上記ビス部材の上記軸ねじ部が挿通されて上記頭部が止まる。上記ワッシャ部材は、その表面側に上記ビス部材の頭部が嵌入しうる凹部が形成されている。上記凹部の中央には、上記ビス部材の上記軸ねじ部を挿通させる挿通孔が形成されている。
さらに、上記ワッシャ部材自体が樹脂材料から構成されることにより、上記挿通孔の内径よりも外径の大きな軸ねじ部を有するビス部材の上記軸ねじ部を挿通させるときに、上記挿通孔を上記軸ねじ部が押し広げながら挿通させて、上記ビス部材の頭部が上記凹部に嵌入した状態で上記建材ボードを固定するように構成されている。このため、上記ワッシャ部材は、上記挿通孔の開口寸法が１種類のものだけを準備すれば、それより太い軸ねじ部を有する複数種類のビス部材を使用することができる。したがって、部品点数を従来より減らし、管理を簡素化できる。また、上記ワッシャ部材自体が樹脂材料から構成されているため、ワッシャ部材自体が変形するような使用用途にも適用できるうえ、生産性も良好である。
【００１４】
請求項２記載の建材ボード取付具は、上記ビス部材として、太さの異なる複数種類のビス部材のうちいずれかが使用される。そして、上記挿通孔の内径が、上記複数種類のビス部材のうち最も細いビス部材の外径よりも小さくなるように設定されている。このため、上記ワッシャ部材は、上記挿通孔の開口寸法が１種類のものだけを準備すれば、それより太い軸ねじ部を有する複数種類のビス部材を使用することができる。したがって、部品点数を従来より減らし、管理を簡素化できる。
【００１５】
請求項３記載の建材ボード取付具は、上記ビス部材の頭部が、上記凹部に嵌入した状態で、上記ワッシャ部材の表面に対して上記頭部が面一になるよう構成されている。このため、取り付けた状態の建材ボードの表面に窪みがあまり形成されず、その後の施工が良好に行える。
【００１６】
請求項４記載の建材ボード取付具は、上記ビス部材の上記軸ねじ部の先端部にリーマが形成され、上記ワッシャ部材の上記挿通孔には、上記リーマを挿通できる切欠きが形成されている。上記軸ねじ部の先端部にリーマを有するビス部材を使用するときは、上記切欠きにリーマを通してから軸ねじ部を挿通孔に挿通させ、このとき上記挿通孔を上記軸ねじ部が押し広げることができる。仮に切欠きがなければ、上記リーマが挿通孔を押し広げてしまい、ビス部材の上記軸ねじ部を挿通させるときに上記挿通孔を上記軸ねじ部が押し広げながら挿通させることができない。このため、リーマを有するビス部材であっても、上記ワッシャ部材は、上記挿通孔の開口寸法が１種類のものだけを準備すれば、それより太い軸ねじ部を有する複数種類のビス部材を使用することができる。
【図面の簡単な説明】
【００１７】
【図１】本考案の建材ボード取付具の第１実施形態を示す図である。
【図２】上記第１実施形態を使用する状態を説明する図である。
【図３】上記第１実施形態を使用する状態を説明する図である。
【図４】本考案の建材ボード取付具の第２実施形態を示す図である。
【考案を実施するための形態】
【００１８】
つぎに、本考案を実施するための形態を説明する。
【００１９】
◆第１実施形態
図１は、本考案の建材ボード取付具の第１実施形態を示す図である。（Ａ）はビス部材を横から見た図、（Ｂ）はワッシャ部材の平面図、（Ｃ）はワッシャ部材の断面図である。
【００２０】
本実施形態の建材ボード取付具は、ビス部材１０とワッシャ部材２０とを備えている。上記ビス部材１０は、頭部１１と軸ねじ部１３を有し、上記軸ねじ部１３が建材ボード３０（図２および図３参照）に挿入固定される。上記ワッシャ部材２０は、上記建材ボード３０の表面において上記ビス部材１０の上記軸ねじ部１３が挿通されて上記頭部１１が止まる。図示した例では、上記ビス部材１０は、頭部１１の頂面が平らな平サラねじである。
【００２１】
上記ワッシャ部材２０は、この例では大略平らな円盤状であり、その表面側に上記ビス部材１０の頭部１１が嵌入しうる凹部２１が形成されている。上記凹部２１の中央には挿通孔２３が形成されている。上記挿通孔２３は、その内径を、上記ビス部材１０の上記軸ねじ部１３の外径よりも小さくなるように設定するのが好ましい。後述するように、本考案では、上記ビス部材１０として太さの異なる複数種類のビス部材１０のうちいずれかを使用することができる。上記挿通孔２３の内径は、使用する上記複数種類のビス部材１０のうち、最も細いビス部材１０の外径よりも小さくなるように設定される。
【００２２】
また、上記凹部２１の中央部において、上記挿通孔２３の周辺部に、環状平面部２５が形成されている。
【００２３】
さらに、上記ワッシャ部材２０自体は、樹脂材料から構成されている。そして、上記挿通孔２３の内径よりも外径の大きな軸ねじ部１３を有するビス部材１０の上記軸ねじ部１３を挿通させるときに、上記挿通孔２３を上記軸ねじ部１３が押し広げながら挿通させて、上記ビス部材１０の頭部１１が上記凹部２１に嵌入した状態で上記建材ボード３０を固定するように構成されている。
【００２４】
図２および図３は、上記第１実施形態の建材ボード取付具を使用する状態を説明する図である。図２は、ビス部材１０をねじ込む前であり、図３は、ビス部材１０をねじ込んで建材ボード３０を胴縁４０に取り付けた状態である。
【００２５】
上記ワッシャ部材２０の挿通孔２３の内径は、使用するビス部材１０の外径よりも小さくなるように設定されている。下地である胴縁４０上に配置した建材ボード３０の表面における所定位置に上記ワッシャ部材２０を位置決めする。上記挿通孔２３にビス部材１０の先端をあてがってねじ込む。
【００２６】
このとき、上記挿通孔２３の内径よりも外径の大きな軸ねじ部１３が挿通するとき、上記軸ねじ部１３が上記挿通孔２３を押し広げながら挿通する。このとき、上記軸ねじ部１３は、上記挿通孔２３の周辺部に設けられた環状平面部２５を押し広げる。このため、上記軸ねじ部１３が上記挿通孔２３を押し広げながら挿通するときに、上記ワッシャ部材２０が不用意に傾斜せずに保たれる。上記軸ねじ部１３は建材ボード３０を貫通して胴縁４０にねじ込まれる。そして、上記ビス部材１０の頭部１１が上記凹部２１に嵌入した状態で上記建材ボード３０が胴縁４０に固定される。
【００２７】
この状態で、上記ビス部材１０の頭部１１が、上記凹部２１に嵌入した状態で、上記ワッシャ部材２０の表面に対して上記頭部１１が面一になるよう構成されている。このため、取り付けた状態の建材ボード３０の表面に窪みが形成されにくい。
【００２８】
〔第１実施形態の効果〕
第１実施形態の建材ボード取付具は、ビス部材１０とワッシャ部材２０とを備えている。上記ビス部材１０は、頭部１１と軸ねじ部１３を有し、上記軸ねじ部１３が建材ボード３０に挿入固定される。上記ワッシャ部材２０は、上記建材ボード３０の表面において上記ビス部材１０の上記軸ねじ部１３が挿通されて上記頭部１１が止まる。上記ワッシャ部材２０は、その表面側に上記ビス部材１０の頭部１１が嵌入しうる凹部２１が形成されている。上記凹部２１の中央には、上記ビス部材１０の上記軸ねじ部１３を挿通させる挿通孔２３が形成されている。
さらに、上記ワッシャ部材２０自体が樹脂材料から構成されることにより、上記挿通孔２３の内径よりも外径の大きな軸ねじ部１３を有するビス部材１０の上記軸ねじ部１３を挿通させるときに、上記挿通孔２３を上記軸ねじ部１３が押し広げながら挿通させて、上記ビス部材１０の頭部１１が上記凹部２１に嵌入した状態で上記建材ボード３０を固定するように構成されている。このため、上記ワッシャ部材２０は、上記挿通孔２３の開口寸法が１種類のものだけを準備すれば、それより太い軸ねじ部１３を有する複数種類のビス部材１０を使用することができる。したがって、部品点数を従来より減らし、管理を簡素化できる。また、上記ワッシャ部材２０自体が樹脂材料から構成されているため、ワッシャ部材２０自体が変形するような使用用途にも適用できるうえ、生産性も良好である。
【００２９】
第１実施形態の建材ボード取付具は、上記ビス部材１０として、太さの異なる複数種類のビス部材１０が使用される。そして、上記挿通孔２３の内径が、上記複数種類のビス部材１０のうち最も細いビス部材１０の外径よりも小さくなるように設定されている。このため、上記ワッシャ部材２０は、上記挿通孔２３の開口寸法が１種類のものだけを準備すれば、それより太い軸ねじ部１３を有する複数種類のビス部材１０を使用することができる。したがって、部品点数を従来より減らし、管理を簡素化できる。
【００３０】
第１実施形態の建材ボード取付具は、上記ビス部材１０の頭部１１が、上記凹部２１に嵌入した状態で、上記ワッシャ部材２０の表面に対して上記頭部１１が面一になるよう構成されている。このため、取り付けた状態の建材ボード３０の表面に窪みがあまり形成されず、その後の施工が良好に行える。
【００３１】
◆第２実施形態
図４は、本考案の建材ボード取付具の第２実施形態を示す図である。
【００３２】
第２実施形態では、上記ビス部材１０の上記軸ねじ部１３の先端部にリーマ１７が形成され、上記ワッシャ部材２０の上記挿通孔２３には、上記リーマ１７を挿通できる切欠き２７が形成されている。それ以外は、上記第１実施形態と同様であり、同様の部分には同じ符号を付して説明を省略する。
〔第２実施形態の効果〕
【００３３】
第２実施形態の建材ボード取付具は、上記ビス部材１０の上記軸ねじ部１３の先端部にリーマ１７が形成され、上記ワッシャ部材２０の上記挿通孔２３には、上記リーマ１７を挿通できる切欠き２７が形成されている。上記軸ねじ部１３の先端部にリーマ１７を有するビス部材１０を使用するときは、上記切欠き２７にリーマ１７を通してから軸ねじ部１３を挿通孔２３に挿通させ、このとき上記挿通孔２３を上記軸ねじ部１３が押し広げることができる。仮に切欠き２７がなければ、上記リーマ１７が挿通孔２３を押し広げてしまい、ビス部材１０の上記軸ねじ部１３を挿通させるときに上記挿通孔２３を上記軸ねじ部１３が押し広げながら挿通させることができない。このため、リーマ１７を有するビス部材１０であっても、上記ワッシャ部材２０は、上記挿通孔２３の開口寸法が１種類のものだけを準備すれば、それより太い軸ねじ部１３を有する複数種類のビス部材１０を使用することができる。
それ以外は、上記第１実施形態と同様の作用効果を奏する。
【００３４】
◆他の変形例
以上は本考案の特に好ましい実施形態について説明したが、本考案は図示した各実施形態に限定する趣旨ではなく、各種の態様に変形して実施することができ、本考案は各種の変形例を包含する趣旨である。
【符号の説明】
【００３５】
１０：ビス部材
１１：頭部
１３：軸ねじ部
１７：リーマ
２０：ワッシャ部材
２１：凹部
２３：挿通孔
２５：環状平面部
２７：切欠き
３０：建材ボード
４０：胴縁
【図１】
0003232548.tif 000003
【図２】
0003232548.tif 000004
【図３】
0003232548.tif 000005
【図４】
0003232548.tif 000006